(57)【要約】【課題】  小型化が可能なスプライスユニットを提供する。【解決手段】  融着トレイ２を脚部材２２を介して移動枠４ｂ内に設置し、余長収納部６を融着トレイ２下部に形成した。融着トレイ２下面をトレイ保持板２１に固着し、トレイ保持板２１の前端部を移動枠４ｂの底面上に立設した前側脚部材２２ａに蝶着し、後端部を同様に立設した後側蝶着部材２２ｂにラッチ２３により着脱容易に連結し、融着トレイ２を開閉操作可能として、余長収納部６を容易に開放可能とした。【選択図】  図４
2006350133.tif 000002
【特許請求の範囲】
【請求項１】
引き込んだ光ケーブルを固定するケーブル固定部と、光ファイバの融着接続部を収納する融着トレイと、光ファイバ余長分を収納する余長収納部と、前記光ケーブルの夫々の光ファイバに対して外部から配設された光ファイバを接続する為の接続アダプタとを有するスプライスユニットにおいて、
前記融着トレイと前記余長収納部を同一筐体内に配置すると共に、余長収納部を融着トレイ下部に配置したことを特徴とするスプライスユニット。
【請求項２】
脚部材を介して筐体底面上に融着トレイを設置して融着トレイ下部に余長収納部を形成し、融着トレイ全体を前記脚部材上で開閉操作可能とした請求項１記載のスプライスユニット。
【発明の詳細な説明】
【技術分野】
【０００１】
本発明は、ラック内において光ファイバの接続に使用されるスプライスユニットに関し、特にスプライスユニット内での光ファイバの収納形態の改良に関する。
【背景技術】
【０００２】
スプライスユニットは、通常後方から光ケーブルを引き込み、ケーブル内部の光ファイバを引き出して別途設けた光ファイバと融着接続して延長し、前面に設けた接続アダプタに接続し、スプライスユニットの前面にて外部から配設された光ファイバを前方から接続可能に形成されている。従来のこのようなスプライスユニットは、筐体内に光ケーブル引き込み部と、光ファイバ融着接続部を収納する融着トレイと、光ファイバの余長分を収納する余長収納部と、外部の光ファイバを接続可能とする接続アダプタとを備えている。
【０００３】
このようなスプライスユニットでは、メンテナンスし易いように引出可能としたものが普及しており、このような構成においてはケーブル引き込み部をラックに固定した固定枠に設置し、融着トレイ、余長収納部、接続アダプタを引出可能な引出枠に設置している。何れの構成の場合も夫々独立して配置され、融着トレイを筐体のほぼ中央に配置し、その周囲を余長収納部（例えば、特許文献１参照）としたり、融着トレイと接続アダプタの間に余長収納部（例えば、特許文献２参照）を配置していた。
【０００４】
【特許文献１】特開２００２−３６５４６８号公報（第１図）
【特許文献２】特開２００５−１４８３２７号公報
【発明の開示】
【発明が解決しようとする課題】
【０００５】
上述するように、スプライスユニットは光ケーブル引き込み部、融着トレイ設置部、余長収納部、接続アダプタが必要であるため、筐体が大型化していた。
そこで、本発明はこのような問題点に鑑み、機能を減らす事無く小型化が可能なスプライスユニットを提供することを目的とする。
【課題を解決するための手段】
【０００６】
上記課題を解決する為に、請求項１に記載の発明は、引き込んだ光ケーブルを固定するケーブル固定部と、光ファイバの融着接続部を収納する融着トレイと、光ファイバ余長分を収納する余長収納部と、前記光ケーブルの夫々の光ファイバに対して外部から配設された光ファイバを接続する為の接続アダプタとを有するスプライスユニットにおいて、前記融着トレイと前記余長収納部を同一筐体内に配置すると共に、余長収納部を融着トレイ下部に配置したことを特徴とする。
この構成により、融着トレイと余長収納部を独立したスペースに設ける必要が無くなり、スプライスユニットの小型化を図ることができる。
【０００７】
請求項２の発明は、請求項１に記載の発明において、脚部材を介して筐体底面上に融着トレイを設置して融着トレイ下部に余長収納部を形成し、融着トレイ全体を前記脚部材上で開閉操作可能としたことを特徴とする。
この構成により、余長収納部が融着トレイにより塞がっていても、融着トレイは開閉操作により容易に開放できるので余長収納操作がし易い。
【発明の効果】
【０００８】
本発明によれば、融着トレイと余長収納部を独立したスペースに設ける必要が無くなり、スプライスユニットの小型化を図ることができる。
【発明を実施するための最良の形態】
【０００９】
以下、本発明を具体化した実施の形態を、図面に基づいて詳細に説明する。図１〜図３は本発明に係るスプライスユニットの一例を示し、図１は平面図、図２は右側面図、図３は正面図である。図において、１は光ケーブルを固定する光ケーブル引き込み部、２は光ファイバの融着部を保護する融着トレイ、３は光ファイバを接続するための接続アダプタであり、これらはラックマウント型のケース４内に組み付けられている。尚、ケース４はラックに固定される固定枠４ａと引出可能な筐体である移動枠４ｂ、更に固定枠４ａの上面を閉塞する蓋板４ｃから構成されている。尚、図１において左側が正面である。
【００１０】
固定枠４ａは底板及び左右側板を有し、前面側左右にはマウントアングル取付金具４ｄが突設されている。そして、移動枠４ｂは、上面及び後方が開放され、前面は接続アダプタ３が格子状に配設された前面板５で閉塞され、多数の光ファイバ１０を前面方向から接続可能となっている。また、前面板５の更に前方には、前面板５から一定の間隔を設けて開閉可能なアクリルパネル７が前面板５を覆うように取り付けられ、前面板５との間に光ファイバを保護する保護空間９を形成している。この移動枠４ｂは左右端部に設けたラッチ１３により固定枠４ａに係止し、このラッチ１３を前方に引き出す操作をすることで移動枠４ｂは引き出される。
【００１１】
アクリルパネル７は、接続アダプタ３に前方から接続した光ファイバ１０を保護する為に設けられ、移動枠４ｂの左右から前方に突設された腕体８により支持され、下部が軸着されている。そのため、上方を手前に開放操作可能であり、コネクタ１１の着脱操作の邪魔にならないようになっている。また、保護空間９の左右側部は開口形成されて光ファイバ引出部を形成して左右から光ファイバを引き込み可能となっているし、腕体８の上部に枕片１２が設けられ、引き込んだ光ファイバ１０にストレスが加わらないよう構成されている。
【００１２】
光ケーブル引き込み部１は、後方から引き込んだ光ケーブル１５を固定するケーブルクランプ１６、テンションメンバ１７を引き留めるテンションメンバクランプ１８から構成され、移動枠４ｂ後部の左右双方に一対ずつ設けられている。光ケーブル１５はこのケーブルクランプ１６で固定された後、内部の光ファイバ１９が引き出される。
【００１３】
融着トレイ２は、光ケーブル引き込み部１に合わせて左右に一対設けられ、移動枠４ｂ中央部に設置されている。この融着トレイ２は、図４のＡ−Ａ線矢視側面図に示すように、３段に形成された四角形のトレイ２ａと最上部に設けられた蓋２ｂで構成されている。
各トレイ２ａには光ファイバ融着部を保持する保持部（図示せず）を備え、光ケーブル１５から引き出された光ファイバ１９と、接続アダプタ３に接続された光ファイバとを融着接続した部位を収納して保護する。
【００１４】
そして、融着トレイ２の前後の対向する２辺には隣接する上下のトレイ２ａに係合して構成されるヒンジ２０を有し、夫々ヒンジ２０を中心に開閉可能となっている。このヒンジ２０は、例えば特開２００５−２４７５２号公報に開示された構成から成り、前後何れの方向からも開閉できるようになっている。図４（ｃ）は前面側のヒンジ２０を使用し、後方から前方へ開放し、最下層のトレイ２ａを開いた状態を示している。
【００１５】
また、融着トレイ２は、底部が融着トレイ２より前後に長く形成されたトレイ保持板２１に取り付けられ、トレイ保持板２１は前後端部が脚部材２２（前側脚部材２２ａ，後側脚部剤２２ｂ）を介して移動枠４ｂの底板に取り付けられている。脚部材２２を介することで、融着トレイ２下部には空間が形成され、この空間が光ファイバの余長分を収納する余長収納部６となっている。
【００１６】
トレイ保持板２１は、前側脚部材２２ａに対して左右方向の軸２１ａを介して取り付けられ、後側脚部材２２ｂに対してはラッチ２３により着脱容易に連結されている。こうして、図４（ｂ）に示すようにラッチ２３を摘んで引き上げることで、融着トレイ２は回動し、融着トレイ２の下部に形成した余長収納部６を容易に開放できるよう構成されている。
【００１７】
このように、トレイ保持板２１を融着トレイ２より前後に長く形成することで、余長収納部６を充分な広さとすることができ、その前後端部に脚部材２２を配置するだけであるため、左右方向が開放され、光ファイバの引き込み／引き出しを容易に実施できる。そして、図１に示すように引き込んだ光ケーブル１５から引き出した光ファイバ１９に融着して接続した光ファイバ２４の余長分を収納可能としている。
そして、融着トレイ２の下部空間を余長収納部６とすることで、融着トレイと余長収納部を独立したスペースに設ける必要が無くなり、スプライスユニットの小型化を図ることができる。また、余長収納部が融着トレイにより塞がっていても、容易に開放できるので余長収納操作がし易い。
【００１８】
尚、上記実施形態は、余長収納部６は、融着トレイ２の開閉方向に合わせて後方から開閉操作する構成となっているが、前面側にラッチ２３を配置して前方から開閉操作するよう構成しても良い。この場合、融着トレイ２の開閉方向も前方から行うようにすると操作しやすい。
また、前後に脚部材２２を設けて左右に開放する形で余長収納部を形成したが、脚部材はトレイ保持板２１の形状に合わせて４隅に柱状に設けても良いし、前後方向に開口するように設けても良い。
【図面の簡単な説明】
【００１９】
【図１】本発明に係るスプライスユニットの実施形態の一例を示す平面図である。
【図２】図１の右側面図である。
【図３】図１の正面図である。
【図４】Ａ−Ａ線矢視図で融着トレイの側面図を示し、（ａ）は余長収納部を融着トレイで閉塞した状態、（ｂ）は開放した状態、（ｃ）は融着トレイを開けた状態を示している。
【符号の説明】
【００２０】
１・・光ケーブル引き込み部、２・・融着トレイ、３・・接続アダプタ、４・・ケース、４ｂ・・移動枠（筐体）、６・・余長収納部、１５・・光ケーブル、１９・・光ファイバ、２１・・トレイ保持板、２２・・脚部材、２４・・光ファイバ。
【図１】
2006350133.tif 000003
【図２】
2006350133.tif 000004
【図３】
2006350133.tif 000005
【図４】
2006350133.tif 000006